Podtech/llm-jp-corpus-v4-ja_patent huggingface dataset:
【手続補正書】
【提出日】平成28年7月21日(2016.7.21)
【手続補正１】
【補正対象書類名】明細書
【補正対象項目名】０００９
【補正方法】変更
【補正の内容】
【０００９】
本発明の一態様のブレード検査装置は、エンジンのロータの回転軸の周囲に周期的に配置され、前記回転軸回りに回転する複数のブレードを検査するブレード検査装置において、観察光学系が設けられた挿入部を有する内視鏡と、各々が前記エンジンに設けられた複数の外部アクセスポートの１つに取り付けられて前記内視鏡を固定する、前記１つの外部アクセスポートに専用の、複数の固定具と、各固定具が取り付けられる外部アクセスポートを識別するための識別情報を保持し、出力する識別情報出力部と、を有する。
【手続補正２】
【補正対象書類名】特許請求の範囲
【補正対象項目名】全文
【補正方法】変更
【補正の内容】
【特許請求の範囲】
【請求項１】
エンジンのロータの回転軸の周囲に周期的に配置され、前記回転軸回りに回転する複数のブレードを検査するブレード検査装置において、
観察光学系が設けられた挿入部を有する内視鏡と、
各々が前記エンジンに設けられた複数の外部アクセスポートの１つに取り付けられて前記内視鏡を固定する、前記１つの外部アクセスポートに専用の、複数の固定具と、
各固定具が取り付けられる外部アクセスポートを識別するための識別情報を保持し、出力する識別情報出力部と、
を有することを特徴とするブレード検査装置。
【請求項２】
前記識別情報出力部は、前記固定具毎に設けられ、
前記内視鏡は、前記識別情報出力部より出力された前記識別情報を検知する検知部を有し、前記識別情報を外部装置へ出力することを特徴とする請求項１に記載のブレード検査装置。
【請求項３】
前記識別情報出力部は、無線により前記識別情報を出力し
前記検知部は、無線により前記識別情報を受信する無線受信回路であることを特徴とする請求項２に記載のブレード検査装置。
【請求項４】
前記識別情報出力部は、光を透過する部分と光を透過しない部分を有する部材であり、
前記検知部は、前記光を透過する部分と前記光を透過しない部分に当てられた光の透過の有無を検知する光検出器であることを特徴とする請求項２に記載のブレード検査装置。
【請求項５】
前記識別情報出力部は、抵抗器を含み、
前記検知部は、前記抵抗器の抵抗値を検出する抵抗値検出回路であることを特徴とする請求項２に記載のブレード検査装置。
【請求項６】
前記識別情報出力部は、突起部を有し、
前記検知部は、前記突起部の有無を検出するスイッチであることを特徴とする請求項２に記載のブレード検査装置。
【請求項７】
前記識別情報出力部は、磁石を含み、
前記検知部は、前記磁石の極性または有無を検出する磁気検出器であることを特徴とする請求項２に記載のブレード検査装置。
【請求項８】
前記識別情報出力部は、前記固定具毎に設けられ、
前記各固定具は、前記識別情報出力部より出力された前記識別情報を外部装置へ出力することを特徴とする請求項１から７のいずれか１つに記載のブレード検査装置。
【請求項９】
クレーム１から８のいずれか１つに記載のブレード検査装置において、
前記内視鏡は、前記複数の固定具の１つと一体に構成されていることを特徴とする請求項１から８のいずれか１つに記載のブレード検査装置。
【請求項１０】
前記識別情報は、前記各固定具が取り付けられる外部アクセスポートのポート番号であることを特徴とする請求項１に記載のブレード検査装置。
【請求項１１】
前記識別情報を受信する外部装置を備え、
前記外部装置は、前記識別情報に基づいて、前記内視鏡の検査画像と前記外部アクセスポートとを対応づけて記憶装置に記憶することを特徴とする請求項１に記載のブレード検査装置。
【請求項１２】
前記外部装置は、前記識別情報に基づいて前記記憶装置に作成されたフォルダに前記検査画像を記憶することを特徴とする請求項１１に記載のブレード検査装置。
【請求項１３】
前記外部装置は、前記識別情報を前記検査画像に含ませて前記記憶装置に記憶することを特徴とする請求項１１に記載のブレード検査装置。
【請求項１４】
前記複数の固定具は、、胴体部の軸方向に沿った長さが互いに異なることを特徴とする請求項１に記載のブレード検査装置。
【請求項１５】
前記識別情報出力部は、前記挿入部が前記内視鏡に装着された際に前記識別情報を出力することを特徴する請求項１に記載のブレード検査装置。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
エンジンのロータの回転軸の周囲に周期的に配置され、前記回転軸回りに回転する複数のブレードを検査するブレード検査システムにおいて、
観察光学系が設けられた挿入部を有する内視鏡と、
前記内視鏡の挿入部を前記エンジン内にガイドするために、前記エンジンの互いに異なる外部アクセスポートに取り付けられる複数のガイド装置と、
を有し、
各ガイド装置は、
前記挿入部をガイドするガイド管と、
前記ガイド管に設けられ、対応する外部アクセスポートにおいて前記ガイド管を固定する第１の固定部と、
を有し、
前記ガイド管内に前記挿入部が取り付けられたときに、前記挿入部の前記観察光学系により前記ブレードの所定の部位を観察する位置が、前記対応する外部アクセスポート毎に予め決められた位置になるように、前記対応する外部アクセスポートから延出する、前記ガイド装置の延出部分の長さが、前記複数のガイド装置間で異なることを特徴とするブレード検査システム。
【請求項２】
前記各ガイド装置は、前記ガイド管の軸方向において、前記挿入部を固定する第２の固定部を有し、
前記ガイド装置の前記延出部分の長さが前記複数のガイド装置間で異なるように、前記第２の固定部の、前記ガイド管の軸方向における長さが、前記複数のガイド装置間で異なることを特徴とする請求項１に記載のブレード検査システム。
【請求項３】
前記各ガイド装置は、前記ガイド管に設けられ、前記ガイド管の軸回りにおける前記挿入部の回動量を規定する回動量規定機構部を有することを特徴とする請求項１又は２に記載のブレード検査システム。
【請求項４】
前記挿入部は、前記第２の固定部に固定するための突起部を有することを特徴とする請求項２に記載のブレード検査システム。
【請求項５】
前記挿入部が前記各ガイド装置に取り付けられる前記内視鏡は、共通の内視鏡であることを特徴とする請求項１に記載のブレード検査システム。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
エンジンの内視鏡用アクセスポートに固定される内視鏡検査用固定具であって、
前記エンジンの外装カバーに配設された外部アクセスポートから前記エンジンの外装シュラウドに配設された内部アクセスポートを繋ぐ内視鏡の挿入部のアクセス方向を規定する挿入方向規定部と、
前記外部アクセスポートへの装着時に前記挿入方向規定部が前記アクセス方向と一致するように設置方向を一義的に規定する設置方向規定部と、
を具備することを特徴とする内視鏡検査用固定具。
【請求項２】
前記設置方向規定部は、前記外部アクセスポートの凸部形状に相似形成された凹部であって、
前記凹部が前記外部アクセスポートへの装着時に前記凸部形状に係合することで、前記アクセス方向と一致するように設置方向が一義的に規定されることを特徴とする請求項１に記載の内視鏡検査用固定具。
【請求項３】
前記設置方向規定部は、複数の突起部であって、
前記複数の突起部が前記外装カバーに形成された前記外部アクセスポートを覆う蓋体を固定する複数のネジ孔に係入することで、前記アクセス方向と一致するように設置方向が一義的に規定されることを特徴とする請求項１に記載の内視鏡検査用固定具。
【請求項４】
前記設置方向規定部は、指標であって、
前記指標を前記エンジンの空気の流れ方向に合わせることで、前記アクセス方向と一致するように設置方向が一義的に規定されることを特徴とする請求項１に記載の内視鏡検査用固定具。
【請求項５】
前記設置方向規定部は、前記外部アクセスポートへの装着時に前記挿入方向規定部が前記アクセス方向と一致するように長手方向の中心軸に対して所定の角度の孔軸を有し設置方向を一義的に規定することを特徴とする請求項１に記載の内視鏡検査用固定具。
【請求項６】
前記挿入方向規定部は、長手方向の中心軸に対して所定の角度の孔軸を有していることを特徴とする請求項１に記載の内視鏡検査用固定具。
【請求項７】
前記挿入方向規定部に設けられた前記孔軸と前記設置方向規定部に設けられた孔軸は、同軸であることを特徴とする請求項６に記載の内視鏡検査用固定具。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
調音マットと、
スピーカーを備えた電子機器を前記調音マットに保持するための保持手段とからなり、
前記調音マットは、前記電子機器を保持した状態において、前記スピーカーから出力される音響を調整する調音手段を備えていることを特徴とする音響調整装置。
【請求項２】
前記電子機器は、スマートフォン、携帯電話、タブレット型携帯端末、携帯型デジタル音楽プレイヤー、腕時計型端末、カメラ、小型ビデオ再生機、ラジオ、ICレコーダーまたはプロジェクターであることを特徴とする請求項１に記載の音響調整装置。
【請求項３】
前記調音マットは、ニードルフェルト、ベストレイ、ソフトレイ、グラスウール、サーモウール、フェノール樹脂、ポリウレタンの少なくとも１つを含む吸音材料からなることを特徴とする請求項２に記載の音響調整装置。
【請求項４】
前記吸音部材は複数枚の吸音シートを、積層体として一体的に接合することで形成されることを特徴とする請求項３に記載の音響調整装置。
【請求項５】
前記接着剤は接合後も固化することなく、使用時においてその粘性を保持した状態を維持する粘性接着剤であり、前記調音手段として機能することを特徴とする請求項４に記載の音響調整装置。
【請求項６】
前記積層体は、隣接する前記吸音層の間に樹脂シートを挟んで積層されていることを特徴とする請求項５に記載の音響調整装置。
【請求項７】
前記樹脂シートの厚みは０．１ｍｍ〜０．５ｍｍであることを特徴とする請求項６に記載の音響調整装置。
【請求項８】
前記樹脂シートには、複数個の開口部が設けられており、前記接着剤はこの開口部においては、前記吸音層を直接接合し、開口部以外では前記樹脂シートを介して前記吸音層を接合することを特徴とする請求項７に記載の音響調整装置。
【請求項９】
前記電子機器を前記調音マットに保持した状態で、前記調音マットと前記電子機器との間に一定の隙間を確保する手段を更に設けたことを特徴とする請求項８に記載の音響調整装置。
【請求項１０】
前記調音マットと前記電子機器との間に一定の隙間を確保する手段は、前記調音マットの表面に設けられた複数の吸盤であることを特徴とする請求項９に記載の音響調整装置。
【請求項１１】
前記調音マットは円筒状となっており、前記調音マットと前記電子機器との間に一定の隙間を確保する手段は、前記調音マットの表面から上方へ延びた多数のロッドからなり、このロッドは前記調音マットの中心で最も長く、周囲に向かって徐々に短くなっていることを特徴とする請求項１０に記載の音響調整装置。
【請求項１２】
前記調音マットと前記電子機器との間の隙間は、３ｍｍ乃至７ｍｍであることを特徴とする請求項１１に記載の音響調整装置。
【請求項１３】
前記吸音シートの積層体側面を保持するフレームを更に備えたことを特徴とする請求項１２に記載の音響調整装置。
【請求項１４】
前記フレームは、積層体側面のみを支持する形状であり、前記保持手段の設けられている表面と、その反対側の裏面は開放していることを特徴とする請求項１３に記載の音響調整装置。
【請求項１５】
前記保持手段は、前記調音マットに貼り付けられている袋状のポケットであることを特徴とする請求項１４に記載の音響調整装置。
【請求項１６】
前記保持手段は、面ファスナーを備えたベルトであることを特徴とする請求項１４に記載の音響調整装置。
【請求項１７】
前記保持手段は、前記電子機器よりも小さく、前記電子機器を収納可能な凹部が設けられたスポンジ状保持手段であって、前記調音マットの表面に設けられていることを特徴とする請求項１４に記載の音響調整装置。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
眼鏡を製作するための眼鏡パラメータを演算する眼鏡パラメータ演算装置であって、
装用時における眼鏡フレームの反り角度及び前傾角度に基づいて、玉型を表す玉型図形を補正し、補正された前記玉型図形を表示部に表示させる表示制御手段と、を備えることを特徴とする眼鏡パラメータ演算装置。
【請求項２】
装用時における前記反り角度及び前傾角度に基づいて、前記表示部に表示される前記玉型図形を回転させるための回転角度を演算する回転角度演算手段を備え、
前記表示制御手段は、前記回転角度演算手段によって演算された前記回転角度に基づいて、前記表示部に表示される前記玉型図形を回転して表示させることを特徴する請求項１の眼鏡パラメータ演算装置。
【請求項３】
前記表示制御手段は、前記玉型図形を形成する２次元玉型データを、装用時における前記反り角度及び前傾角度に基づいて３次元玉型データに変換し、前記３次元玉型データにおける動径角毎の玉型データに対する奥行き方向の位置に応じて変形された前記玉型図形を表示させることを特徴とする請求項１または２の眼鏡パラメータ演算装置。
【請求項４】
眼鏡を製作するための眼鏡パラメータを演算する眼鏡パラメータ演算装置において実行される眼鏡パラメータ演算プログラムであって、
前記眼鏡パラメータ演算装置のプロセッサによって実行されることで、
装用時における眼鏡フレームの反り角度及び前傾角度に基づいて、玉型を表す玉型図形を補正し、補正された前記玉型図形を表示部に表示させる表示制御ステップを前記眼鏡パラメータ演算装置に実行させることを特徴する眼鏡パラメータ演算プログラム。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
コヒーレント光を射出する光源部と、
二次元方向に配列された複数の位相シフト素子を有し、前記光源部からのコヒーレント光の波面を二次元方向に走査する位相シフト部と、
を備え、
前記光源部は、複数の前記位相シフト素子に対応する複数の面発光レーザを有し、
且つ、複数の前記面発光レーザは、それぞれ波長の異なる光を射出する複数の面発光レーザからなり、波長の短い光を射出する複数の面発光レーザが波長の長い光を射出する複数の面発光レーザよりも短いピッチで配列されている、ことを特徴とする画像表示装置。
【請求項２】
前記位相シフト素子は、印加電圧により屈折率が変化する電気光学素子を有する、ことを特徴とする請求項１に記載の画像表示装置。
【請求項３】
前記電気光学素子はＫＴＮ結晶からなる、ことを特徴とする請求項２に記載の画像表示装置。
【請求項４】
前記電気光学素子は液晶からなる、ことを特徴とする請求項２に記載の画像表示装置。
【請求項５】
前記位相シフト部は、複数の前記位相シフト素子をアクティブマトリックス方式により駆動する、ことを特徴とする請求項２〜４のいずれか一項に記載の画像表示装置。
【請求項６】
前記位相シフト部は、前記光源部からのコヒーレント光の波面を平面波又は球面波として走査する、ことを特徴とする請求項１〜５のいずれか一項に記載の画像表示装置。
【手続補正２】
【補正対象書類名】明細書
【補正対象項目名】０００７
【補正方法】変更
【補正の内容】
【０００７】
上記目的を達成する画像表示装置の発明は、コヒーレント光を射出する光源部と、二次元方向に配列された複数の位相シフト素子を有し、前記光源部からのコヒーレント光の波面を二次元方向に走査する位相シフト部と、を備え、前記光源部は、複数の前記位相シフト素子に対応する複数の面発光レーザを有し、且つ、複数の前記面発光レーザは、それぞれ波長の異なる光を射出する複数の面発光レーザからなり、波長の短い光を射出する複数の面発光レーザが波長の長い光を射出する複数の面発光レーザよりも短いピッチで配列されている、ことを特徴とするものである。
【手続補正書】
【提出日】平成28年7月29日(2016.7.29)
【手続補正１】
【補正対象書類名】特許請求の範囲
【補正対象項目名】請求項６
【補正方法】変更
【補正の内容】
【請求項６】
前記媒体は前記レンズ層の底面に接合された状態にあってレンズシートを構成し、
前記レンズシートに印刷させる指示を行って前記圧縮ステップ及び前記拡大ステップで生成された画像を印刷装置の印刷部に印刷させる印刷指示ステップを、更に備えたことを特徴とする請求項１乃至５のいずれか一項に記載のプログラム。
【手続補正２】
【補正対象書類名】特許請求の範囲
【補正対象項目名】請求項８
【補正方法】変更
【補正の内容】
【請求項８】
複数のレンズを有するレンズ層に面して配置される媒体に画像データに基づく画像を印刷する印刷装置であって、
前記画像データは、三次元画像と二次元画像とを含み、
前記二次元画像を前記レンズの集光の起こる方向に非可逆圧縮する圧縮処理部と、
前記圧縮処理部による圧縮後の前記二次元画像を前記圧縮の実施方向と同方向に拡大する拡大処理部と、
前記二次元画像が前記拡大処理部で拡大された後の前記画像を、複数のレンズを有するレンズ層に面して配置される媒体に印刷する印刷部と、
を備えたことを特徴とする印刷装置。
【手続補正３】
【補正対象書類名】明細書
【補正対象項目名】００２０
【補正方法】変更
【補正の内容】
【００２０】
上記プログラムでは、前記媒体は前記レンズ層の底面に接合された状態にあってレンズシートを構成し、前記レンズシートに印刷させる指示を行って前記圧縮ステップ及び前記拡大ステップで生成された画像を印刷装置の印刷部に印刷させる印刷指示ステップを、更に備えている。この場合、印刷指示ステップで印刷を指示するコンピューターは、印刷装置以外の装置（携帯端末、ホスト装置、サーバー等）でもよいし、印刷装置内のコンピューターでもよい。
【手続補正４】
【補正対象書類名】明細書
【補正対象項目名】００２４
【補正方法】変更
【補正の内容】
【００２４】
上記課題を解決する印刷装置は、複数のレンズを有するレンズ層に面して配置される媒体に画像データに基づく画像を印刷する印刷装置であって、前記画像データは、三次元画像と二次元画像とを含み、前記二次元画像を前記レンズの集光の起こる方向に非可逆圧縮する圧縮処理部と、前記圧縮処理部による圧縮後の前記二次元画像を前記圧縮の実施方向と同方向に拡大する拡大処理部と、前記二次元画像が前記拡大処理部で拡大された後の前記画像を、複数のレンズを有するレンズ層に面して配置される媒体に印刷する印刷部と、を備えている。なお、画像が印刷されるとき媒体は単独でも、レンズ層に面して配置された状態にあってもよい。圧縮処理部によりレンズの集光の起こる方向に非可逆圧縮された二次元画像が、拡大処理部によりレンズの集光の起こる方向に拡大される。よって、レンズ層を通して媒体に印刷された画像を見た際に、三次元画像の解像度を高く維持しつつ二次元画像のジャギー等の画質上の不具合を低減できる。
【手続補正書】
【提出日】平成28年7月5日(2016.7.5)
【手続補正１】
【補正対象書類名】明細書
【補正対象項目名】００２３
【補正方法】変更
【補正の内容】
【００２３】
操作検出部１７は、リモコン受光部１８および操作パネル１９に接続され、リモコン受光部１８及び操作パネル１９を介した操作を検出する。
リモコン受光部１８は、プロジェクター１０の操作者が使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
操作パネル１９は、プロジェクター１０の外装筐体に設けられ、各種スイッチおよびインジケーターランプを有する。操作検出部１７は、制御部３０の制御に従い、プロジェクター１０の動作状態や設定状態に応じて操作パネル１９のインジケーターランプを適宜点灯或いは点滅させる。この操作パネル１９のスイッチが操作されると、操作されたスイッチに対応する操作データが操作検出部１７から制御部３０に出力される。
ここで、リモコン及び操作パネル１９は入力手段として機能する。
【手続補正２】
【補正対象書類名】明細書
【補正対象項目名】００２４
【補正方法】変更
【補正の内容】
【００２４】
制御部３０は、Ｉ／Ｆ部１１から入力された画像データを画像処理部４０に出力する。画像処理部４０は、画像入力部４１、表示制御部４２、描画処理部４３及びフレームメモリー４４を備えている。画像入力部４１は、入力された画像データをバッファーリングする。表示制御部４２は、画像入力部４１に入力された画像データに対し、インターレース／プログレッシブ変換、解像度変換、色変換等の各種変換処理を適宜実行し、予め設定されたフォーマットの画像データを生成する。描画処理部４３は、表示制御部４２により処理された画像データに基づいてフレームメモリー４４にフレーム毎の画像を展開する。フレームメモリー４４に展開された画像データは、光変調装置駆動部１５に出力される。また、描画処理部４３は、フレームメモリー４４に展開された画像データに対し、台形歪み補正や糸巻き型歪み補正を行ってもよい。この場合、描画処理部４３は、フレームメモリー４４に展開された画像データを、例えば台形歪みを補償する逆型の台形に変形させる。さらに、描画処理部４３は、プロジェクター１０が描画を行う動作モードにおいて、指示体７０の操作位置の座標に従ってフレームメモリー４４に展開された画像に図形等の画像を加え、或いは消去する編集を行い、画像を生成または更新する。これにより、指示体７０の操作に応じた画像が描画されてスクリーンＳＣに投射される。
【手続補正３】
【補正対象書類名】明細書
【補正対象項目名】００４９
【補正方法】変更
【補正の内容】
【００４９】
キャリブレーション制御部３４は、ステップＳ１３で決定した順序に従って、目標画像を表示する一つの基準位置を選択する（ステップＳ１４）。本実施形態では目標画像を一つずつ表示するので、ステップＳ１４で一つの基準位置を選択するが、複数の基準位置をまとめて目標画像を表示することも可能であり、この場合にはステップＳ１４で複数の基準位置を選択する。例えば、目標画像を２つずつ表示して、これら２つの目標画像に位置指示操作をさせる場合である。
【手続補正４】
【補正対象書類名】明細書
【補正対象項目名】００５９
【補正方法】変更
【補正の内容】
【００５９】
また、キャリブレーション制御部３４は、位置取得工程でリモコンまたは操作パネル１９により処理の中断の指示が入力されると、位置取得工程を終了してキャリブレーション工程を実行するので、処理の中断の指示を確実に、かつ速やかに検出できる。
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
浴槽内へ湯水を導入するふろ往き通路と、前記浴槽内から湯水を導出するふろ戻り通路と、前記ふろ往き通路に設けられ、気泡を発生する気泡導入装置と、熱交換器の導入口と接続するふろ戻り配管と、前記熱交換器の導出口と接続するふろ往き配管と、から成るふろ循環回路と、
前記浴槽から導出した湯水を前記ふろ戻り配管、前記熱交換器及び前記ふろ往き配管の順に循環させて前記浴槽に戻すふろ循環ポンプと、
前記ふろ循環回路の水流に応じた信号を発する水流検知手段と、
前記ふろ循環ポンプを作動させた後、前記水流検知手段によって検知される水流の脈動に基づいて、前記ふろ循環回路の接続状態が正常か否かを判定する制御部と、
を備える給湯装置。
【請求項２】
前記制御部は、前記水流検知手段の信号に基づいて、水流が正常に発生していない状態が予め定められた回数以上に検知された場合に、前記ふろ戻り配管及び前記ふろ往き配管と前記ふろ戻り通路及び前記ふろ往き通路との接続状態が逆接続であることを判定する請求項１に記載の給湯装置。
【請求項３】
前記水流検知手段は、水流の有無を検知するフロースイッチを含み、
前記制御部は、前記ふろ循環ポンプを作動させた後、前記フロースイッチによって水流が無い状態が予め定められた回数以上に検知された場合に、前記ふろ戻り配管及び前記ふろ往き配管と前記ふろ戻り通路及び前記ふろ往き通路との接続状態が逆接続であることを判定する請求項１または２に記載の給湯装置。
【請求項４】
前記制御部は、前記循環ポンプを作動してからの経過時間が予め定められた時間に達した後の前記水流検知手段の信号に基づいて、前記ふろ循環回路の接続状態を判定する請求項１乃至３の何れか１項に記載の給湯装置。
【請求項５】
前記制御部により、前記ふろ循環回路の接続状態が正常ではないことが判定された場合に、使用者への報知を行う報知手段を更に備える請求項１乃至４の何れか１項記載の給湯装置。
【請求項６】
前記気泡導入装置は、エジェクタを備えて成る請求項１乃至５の何れか１項に記載の給湯装置。
【請求項７】
浴槽内へ湯水を導入するふろ往き通路と、前記浴槽内から湯水を導出するふろ戻り通路と、前記ふろ往き通路に設けられ、気泡を発生する気泡導入装置と、熱交換器の導入口と接続するふろ戻り配管と、前記熱交換器の導出口と接続するふろ往き配管と、から成るふろ循環回路を備える給湯装置の異常検出方法であって、
前記浴槽から導出した湯水を前記ふろ戻り配管、前記熱交換器及び前記ふろ往き配管の順に循環させて前記浴槽に戻す循環ポンプを作動させる循環ステップと、
前記循環ステップの実行中に前記ふろ循環回路の水流に応じた信号を検知する水流検知ステップと、
前記水流検知ステップによって水流が正常に発生していない状態が予め定められた回数以上に検知された場合に、前記ふろ戻り配管及び前記ふろ往き配管と前記ふろ戻り通路及び前記ふろ往き通路との接続状態が逆接続であることを判定する判定ステップと、
を備える給湯装置の異常検出方法。
【手続補正２】
【補正対象書類名】明細書
【補正対象項目名】００２７
【補正方法】変更
【補正の内容】
【００２７】
ここで、浴槽アダプタ８０のふろ戻り通路８６及びふろ往き通路８７と、ふろ戻り配管５６及びふろ往き配管５７とは、装置を設置する際に施工者によって接続される。このため、本来であれば浴槽アダプタ８０のふろ戻り通路８６にふろ戻り配管５６を、ふろ往き通路８７にふろ往き配管５７を接続しなければならないところを、誤ってこれらを逆接続してしまう事態も想定される。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
複数の領域に区分された電子書籍コンテンツを取得するコンテンツ取得部と、
前記電子書籍コンテンツにおける前記複数の領域のうち少なくともの一の領域に、撮像装置により実行中の撮像動作に基づいて順次取得される画像を配置するデータ編集部と、
を備える、情報処理装置。
【請求項２】
前記電子書籍コンテンツを表示させ、前記一の領域への前記画像の配置に基づき当該電子書籍コンテンツの表示を更新する表示制御部を備える、請求項１に記載の情報処理装置。
【請求項３】
前記データ編集部は、撮像に係る指示を受けて、順次取得される前記画像のうち、当該指示を受けたタイミングに対応する画像を記録し、
前記一の領域に配置して表示させる画像の解像度と、前記指示を受けて記録される画像の解像度とが異なる、請求項２に記載の情報処理装置。
【請求項４】
前記データ編集部は、撮像に係る指示を受けて、順次取得される前記画像のうち、当該指示を受けたタイミングに対応する画像を記録する、請求項１に記載の情報処理装置。
【請求項５】
前記データ編集部は、前記指示を受けたタイミングに対応する画像を、当該画像が撮像された場所を示す情報と関連付けて記録する、請求項３または４に記載の情報処理装置。
【請求項６】
取得された前記画像に対して画像処理を施す画像処理部を備え、
前記データ編集部は、前記画像処理が施された前記画像を、前記一の領域に配置する、請求項１〜５のいずれか一項に記載の情報処理装置。
【請求項７】
前記データ編集部は、前記画像処理の内容を指示するためのインタフェースを表示させる、請求項６に記載の情報処理装置。
【請求項８】
前記画像処理は、前記画像の拡大率の変更、前記画像中の色情報の変更、及び、前記画像中の一部の切り出しのうち少なくともいずれかの処理を含む、請求項６または７に記載の情報処理装置。
【請求項９】
前記電子書籍コンテンツは複数のページデータからなり、
前記複数のページデータそれぞれは、少なくとも１以上の前記領域に区分され、
前記データ編集部は、前記複数のページデータのうち表示対象である前記ページデータにおける少なくとも一の領域に前記画像を配置する、請求項１〜８のいずれか一項に記載の情報処理装置。
【請求項１０】
前記データ編集部は、表示対象の前記ページデータが変更された場合には、変更後の前記ページデータにおける少なくとも一の領域に前記画像を配置する、請求項９に記載の情報処理装置。
【請求項１１】
前記一の領域には、当該一の領域に表示対象としてあらかじめ関連付けられた情報とは異なる他の情報が関連付けられており、
取得された前記画像に対して、前記一の領域に関連付けられた前記他の情報を関連付けて、ネットワークサービスに送信する送信部を備える、請求項１〜１０のいずれか一項に記載の情報処理装置。
【請求項１２】
前記一の領域に関連付けられた前記他の情報は、前記画像の撮像条件に応じて切り替え可能に構成されている、請求項１１に記載の情報処理装置。
【請求項１３】
前記一の領域に関連付けられた前記他の情報は、前記画像が撮像された場所に応じて切り替え可能に構成されている、請求項１２に記載の情報処理装置。
【請求項１４】
前記他の情報は、少なくとも、前記一の領域とは異なる他の領域に表示対象としてあらかじめ関連付けられた情報を含む、請求項１１〜１３のいずれか一項に記載の情報処理装置。
【請求項１５】
複数の領域に区分された電子書籍コンテンツを取得することと、
プロセッサにより、前記電子書籍コンテンツにおける前記複数の領域のうち少なくともの一の領域に、撮像装置により実行中の撮像動作に基づいて順次取得される画像を配置することと、
を含む、情報処理方法。
【請求項１６】
コンピュータに、
複数の領域に区分された電子書籍コンテンツを取得する機能と、
前記電子書籍コンテンツにおける前記複数の領域のうち少なくともの一の領域に、撮像装置により実行中の撮像動作に基づいて順次取得される画像を配置する機能と、
を実行させるプログラム。
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
映像を表示する液晶パネルに用いられ、光を透過させることにより該映像の色を生成するカラーフィルターであって、
前記カラーフィルターは、
光を透過させることにより前記映像の色を生成する色材層と、
前記色材層のうち前記光が入射する面側または該色材層のうち該光が出射する面側に形成され、かつ、透光性を有し、かつ、レーザー光が照射された部分が黒色に変化する変化層と、を備える
カラーフィルター。
【請求項２】
前記変化層は、前記色材層のうち前記光が入射する面側に形成される
請求項１に記載のカラーフィルター。
【請求項３】
前記変化層は、前記色材層のうち前記光が出射する面側に形成される
請求項１に記載のカラーフィルター。
【請求項４】
前記変化層は、有機膜で構成される有機膜層、または、導電膜が形成される導電膜層である
請求項１〜３のいずれか１項に記載のカラーフィルター。
【請求項５】
請求項１〜４のいずれか１項に記載のカラーフィルターを備える液晶パネル。
【請求項６】
請求項１〜４のいずれか１項に記載のカラーフィルターを使用した前記液晶パネルに含まれる、輝点としての欠陥画素の修復方法であって、
前記変化層のうち前記欠陥画素に対応する部分にレーザー光を照射する工程を含む
修復方法。
【手続補正２】
【補正対象書類名】明細書
【補正対象項目名】００１６
【補正方法】変更
【補正の内容】
【００１６】
上記目的を達成するために、本発明の一態様に係るカラーフィルターは、映像を表示する液晶パネルに用いられ、光を透過させることにより該映像の色を生成するカラーフィルターである。前記カラーフィルターは、光を透過させることにより前記映像の色を生成する色材層と、前記色材層のうち前記光が入射する面側または該色材層のうち該光が出射する面側に形成され、かつ、透光性を有し、かつ、レーザー光が照射された部分が黒色に変化する変化層と、を備える。
【手続補正３】
【補正対象書類名】明細書
【補正対象項目名】００３０
【補正方法】変更
【補正の内容】
【００３０】
変化層１２は、初期状態では、光を透過させる透明な層である。すなわち、変化層１２は、透光性を有する。変化層１２は、レーザー光が照射された部分が黒色に変化する層（膜）である。すなわち、変化層１２は、黒化膜である。なお、変化層１２のうち黒色に変化した部分は、光を透過させない。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
第１反射膜と、
前記第１反射膜と対向する第２反射膜と、
前記第１反射膜の前記第２反射膜と対向する面に重ねて設けられた第１導電膜と、
前記第２反射膜の前記第１反射膜と対向する面に重ねて設けられた第２導電膜と、
を含み、
前記第１導電膜及び前記第２導電膜は光を透過し、
前記第１導電膜と前記第２導電膜とは電気的に開閉されることを特徴とする光フィルター。
【請求項２】
請求項１に記載の光フィルターであって、
前記第１導電膜と接続された第１端子と、
前記第２導電膜と接続された第２端子と、
を含み、
前記第１端子と前記第２端子とは電気的に開閉されることを特徴とする光フィルター。
【請求項３】
請求項１または２に記載の光フィルターであって、
前記第１反射膜及び前記第２反射膜は銀を含む膜であり、前記第１導電膜と前記第２導電膜とのうち少なくとも一方はＩｎ−Ｇａ−Ｏを主成分とする膜であることを特徴とする光フィルター。
【請求項４】
請求項１乃至３のいずれかに記載の光フィルターであって、
前記第１反射膜及び前記第２反射膜のうち少なくとも一方は側面が露出することを特徴とする光フィルター。
【請求項５】
請求項１乃至４のいずれかに記載の光フィルターであって、
前記第１導電膜と前記第２導電膜との間の静電容量が検出されることを特徴とする光フィルター。
【請求項６】
請求項１乃至５のいずれかに記載の光フィルターであって、
前記第１反射膜及び前記第２反射膜は光が照射される有効範囲と、前記有効範囲を囲む場所に光が照射されない予備範囲と、
を有することを特徴とする光フィルター。
【請求項７】
請求項１乃至６のいずれかに記載の光フィルターと、
前記第１導電膜と前記第２導電膜とを電気的に開閉する電気開閉部と、
を含むことを特徴とする光学モジュール。
【請求項８】
請求項７に記載の光学モジュールであって、
前記第１導電膜と前記第２導電膜との間の静電容量を検出する容量検出部を備えることを特徴とする光学モジュール。
【請求項９】
請求項７または８に記載の光学モジュールと、
前記光学モジュールを制御する制御部と、
を含むことを特徴とする電子機器。
【請求項１０】
基板に反射膜を形成する工程と、
前記反射膜に重ねて、光を透過する導電膜を形成する工程と、
前記導電膜に重ねてレジストのパターンを形成した後に、前記反射膜及び前記導電膜をエッチングする工程と、
を有することを特徴とする光フィルターの製造方法。
【手続補正２】
【補正対象書類名】明細書
【補正対象項目名】０００６
【補正方法】変更
【補正の内容】
【０００６】
本発明は、上述の課題を解決するためになされたものであり、以下の形態または適用例として実現することが可能である。
本発明の一態様の光フィルターは、第１反射膜と、前記第１反射膜と対向する第２反射膜と、前記第１反射膜の前記第２反射膜と対向する面に重ねて設けられた第１導電膜と、前記第２反射膜の前記第１反射膜と対向する面に重ねて設けられた第２導電膜と、を含み、前記第１導電膜及び前記第２導電膜は光を透過し、前記第１導電膜と前記第２導電膜とは電気的に開閉されることを特徴とする。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
台座部及び前記台座部に交差するように配置された側壁部を有するベースと、
前記側壁部の上の面に配置された金属枠と、
開口部を有し、前記金属枠の上に配置されたリッドと、
前記開口部を覆う透光部材と、
前記ベースと前記リッドとの間に配置された光学素子と、
を含み、
前記透光部材は、前記金属枠の前記リッドに面する第一面における外周端と、前記リッドの前記金属枠の側と反対側の前記第二面における外周端とを結ぶ仮想直線と交わらないことを特徴とする光学デバイス。
【請求項２】
請求項１に記載の光学デバイスにおいて、
前記ベースの上から見た平面視において、前記リッドの外周端から前記透光部材の外周端までの最小距離は、１．５ｍｍ以上であることを特徴とする光学デバイス。
【請求項３】
請求項１又は請求項２に記載の光学デバイスにおいて、
前記リッドの厚みは、０．１５ｍｍ以上であることを特徴とする光学デバイス。
【請求項４】
請求項１又は請求項２に記載の光学デバイスにおいて、
前記リッドは、前記金属枠に接合されるリッド接合部と、前記リッド接合部よりも前記開口部の側に設けられ、前記リッド接合部よりも厚みが大きいリッド本体部と、を備えたことを特徴とする光学デバイス。
【請求項５】
請求項４に記載の光学デバイスにおいて、
前記リッド本体部は、前記仮想直線と交わらないことを特徴とする光学デバイス。
【請求項６】
請求項４又は請求項５に記載の光学デバイスにおいて、
前記リッド本体部の厚みは、０．１５ｍｍ以上であることを特徴とする光学デバイス。
【請求項７】
請求項１から請求項６のいずれかに記載の光学デバイスにおいて、
前記光学素子は、互いに対向する一対の反射膜を備えたファブリーペローエタロン素子であることを特徴とする光学デバイス。
【請求項８】
請求項１乃至７のいずれかに記載の光学デバイスと、
前記光学デバイスからの光を受光する受光部と、
を含むことを特徴とする光学モジュール。
【請求項９】
請求項１乃至７のいずれかに記載の光学デバイスと、
前記光学デバイスを制御する制御部と、
を含むことを特徴とする電子機器。
【請求項１０】
台座部及び前記台座部に交差するように配置された側壁部を有するベースと、
前記側壁部の上の面に配置された金属枠と、
開口部を有し、前記金属枠の上に配置されたリッドと、
前記開口部を覆う透光部材と、
を含み、
前記透光部材は、前記金属枠の前記リッドに面する第一面における外周端と、前記リッドの前記金属枠の側と反対側の前記第二面における外周端とを結ぶ仮想直線と交わらないことを特徴とする光学筐体。
【手続補正２】
【補正対象書類名】明細書
【補正対象項目名】０００６
【補正方法】変更
【補正の内容】
【０００６】
本発明の一態様の光学デバイスは、台座部及び前記台座部に交差するように配置された側壁部を有するベースと、前記側壁部の上の面に配置された金属枠と、開口部を有し、前記金属枠の上に配置されたリッドと、前記開口部を覆う透光部材と、前記ベースと前記リッドとの間に配置された光学素子と、を含み、前記透光部材は、前記金属枠の前記リッドに面する第一面における外周端と、前記リッドの前記金属枠の側と反対側の前記第二面における外周端とを結ぶ仮想直線と交わらないことを特徴とする。
本発明の光学デバイスは、側壁部により囲われた凹部を有するベースと、前記側壁部上の端面に接合され、前記側壁部との接合面とは反対側の第一面を有する金属枠と、前記金属枠に接合され、前記金属枠との接合面とは反対側の第二面、及び開口部を有するリッドと、前記リッドに接合され、前記開口部を閉塞する透光部材と、前記ベースの凹部に載置された光学素子と、を備え、前記透光部材は、前記ベースの前記凹部の深さ方向に沿った断面視において、前記金属枠の前記第一面における外周端と、前記リッドの前記第二面における外周端とを結ぶ仮想直線と交わらないことを特徴とする。
【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
使用者が、スプリングの力に抗して軸部材に沿って収縮させて毛を挟み、前記スプリングの収縮状態を維持して移動することにより前記毛を抜去する脱毛器具。
【請求項２】
先端部と後端部とを含み、
前記後端部を押すことにより前記スプリングを前記先端部に向けて収縮させる請求項１に記載の脱毛器具。
【請求項３】
２つの指穴部を含み、
前記指穴部に２本の指をかけるとともに、他の指で前記後端部を押して使用する請求項２に記載の脱毛器具。
【請求項４】
モーターを含み、
前記スプリングが収縮されたときに前記モーターが作動して、前記スプリングに振動を与える請求項１から３のいずれか１項に記載の脱毛器具。
【請求項５】
前記スプリングは、滑り止め加工が施されている請求項１から４のいずれか１項に記載の脱毛器具。
【手続補正書】
【提出日】平成28年11月9日(2016.11.9)
【手続補正１】
【補正対象書類名】明細書
【補正対象項目名】発明の名称
【補正方法】変更
【補正の内容】
【発明の名称】薬情出力装置及びプログラム
【手続補正２】
【補正対象書類名】明細書
【補正対象項目名】０００１
【補正方法】変更
【補正の内容】
【０００１】
本発明は、薬情出力装置及びプログラムに関する。
【手続補正３】
【補正対象書類名】特許請求の範囲
【補正対象項目名】全文
【補正方法】変更
【補正の内容】
【特許請求の範囲】
【請求項１】
患者の処方箋の情報と前記処方箋よりも過去の処方箋の情報との間の変化に基づいて、調剤薬局において薬剤師から患者に提供される薬情のデータであって、薬剤が変更したことを示す薬剤変更表示又は用法用量が変更したことを示す用法用量変更表示を含む薬情のデータを出力する薬情出力手段、
を備える薬情出力装置。
【請求項２】
前記薬剤変更表示又は前記用法用量変更表示は薬剤ごとの表示である、請求項１に記載の薬情出力装置。
【請求項３】
前記薬情出力手段は、前記患者の処方箋の情報と前記処方箋よりも過去の処方箋の情報との間の変化に基づいて、薬剤が追加されて変更になったことを示す前記薬剤変更表示を含む薬情のデータを出力する、請求項１または２に記載の薬情出力装置。
【請求項４】
前記薬剤変更表示は、前記患者の処方箋の情報と前記処方箋よりも過去の処方箋の情報とにおいて、前記患者の処方箋の情報に追加された薬剤と、前記患者の処方箋の情報から除外された薬剤とを含む場合に、当該追加された薬剤と当該除外された薬剤とを対応付けた表示を含む、請求項１から３のいずれか１項に記載の薬情出力装置。
【請求項５】
前記薬剤変更表示は、前記患者の処方箋の情報と前記処方箋よりも過去の処方箋の情報とにおいて、前記患者の処方箋の情報に追加された薬剤と、前記患者の処方箋の情報から除外された薬剤とを含む場合に、当該追加された薬剤と当該除外された薬剤との対応付けの有無及び対応付けの内容ごとに変更種別を分類する表示を含む、請求項１から４のいずれか１項に記載の薬情出力装置。
【請求項６】
薬剤の情報が共通する場合に前記追加された薬剤と前記除外された薬剤とを対応付けて、剤型変更、ジェネリック変更又は成分変更に分類する、請求項４または５に記載の薬情出力装置。
【請求項７】
前記薬剤変更表示は、前記変化に、追加された薬剤と除外された薬剤とを含む場合に、当該追加された薬剤と当該除外された薬剤とが剤型変更、ジェネリック変更又は成分変更に対応付けられた表示を含む、請求項６に記載の薬情出力装置。
【請求項８】
前記薬情出力手段は、前記患者の処方箋の情報と前記処方箋よりも過去の処方箋の情報との間の変化に基づいて、前記患者の処方箋に基づき処方される薬剤が前記過去の処方箋に基づき処方された薬剤と変更したことを示す薬剤変更表示又は前記処方箋に基づき処方される用法用量が前記過去の処方箋に基づき処方された用法用量と変更したことを示す用法用量変更表示を含む薬情のデータを出力する、請求項１から７のいずれか１項に記載の薬情出力装置。
【請求項９】
患者の処方箋の情報と前記処方箋よりも過去の処方箋の情報との間の変化に基づいて、調剤薬局において薬剤師から患者に提供される薬情のデータであって、薬剤が変更したことを示す薬剤変更表示又は用法用量が変更したことを示す用法用量変更表示を含む薬情のデータを出力する薬情出力ステップ、
をコンピュータに実行させるプログラム。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
第１面側に装着され且つ底面に複数の端子が配列された底面端子型電子部品と、
第２面側に装着される複数の個別電子部品と、
を有する電子回路基板を備え、
前記電子回路基板上に前記個別電子部品の情報を示す識別情報が表記された遊技機において、
前記個別電子部品は、
前記底面端子型電子部品の裏面側の位置以外に装着された第１電子部品と、
前記底面端子型電子部品の裏面側の位置に装着された複数の第２電子部品と、に構成され、
前記識別情報は、
前記第１電子部品から第１距離を介して該第１電子部品の近傍に表記された該第１電子部品の情報を示す第１識別情報と、
前記複数の第２電子部品からなる第２電子部品群から前記第１距離より長い第２距離を介して、前記底面端子型電子部品の裏面側の位置以外に表記された複数の第２識別情報からなる第２識別情報群と、を有し、
前記第２電子部品群は同一種類の前記第２電子部品からなる
ことを特徴とする遊技機。
【手続補正２】
【補正対象書類名】明細書
【補正対象項目名】０００５
【補正方法】変更
【補正の内容】
【０００５】
本発明に係る遊技機は、第１面側に装着され且つ底面に複数の端子が配列された底面端子型電子部品と、第２面側に装着される複数の個別電子部品と、を有する電子回路基板を備え、前記電子回路基板上に前記個別電子部品の情報を示す識別情報が表記された遊技機である。前記個別電子部品は、前記底面端子型電子部品の裏面側の位置以外に装着された第１電子部品と、前記底面端子型電子部品の裏面側の位置に装着された複数の第２電子部品と、に構成され、前記識別情報は、前記第１電子部品から第１距離を介して該第１電子部品の近傍に表記された該第１電子部品の情報を示す第１識別情報と、前記複数の第２電子部品からなる第２電子部品群から前記第１距離より長い第２距離を介して、前記底面端子型電子部品の裏面側の位置以外に表記された複数の第２識別情報からなる第２識別情報群と、を有し、前記第２電子部品群は同一種類の前記第２電子部品からなる。
【手続補正３】
【補正対象書類名】明細書
【補正対象項目名】０００６
【補正方法】変更
【補正の内容】
【０００６】
また遊技機は、電子回路基板上に装着されている個別の電子部品の情報を示すために視認可能に表記される識別情報として、電子部品から第１距離を介した位置として電子部品の近傍に表記された第１識別情報と、複数の電子部品による電子部品群から前記第１距離より長い第２距離を介して表記された複数の第２識別情報による第２識別情報群と、全部又は一部の前記第２識別情報群の周囲に表記された囲い線とを有する電子回路基板が取り付けられている。そして前記電子回路基板は、前記囲い線で囲われた前記第２識別情報群として、隣接する第２識別情報同士が前記第２距離よりも短い第３距離だけ離間して表記された第２識別情報群を有する。
識別情報は必ずしも部品近傍の第１識別情報のみとはせず、第２識別情報を用いて表記することで、部品配置やその密集性に関わらず、電子部品毎に識別情報をわかりやすい状態で表記できる。また第２識別情報群は囲い線により明確化し認識性を高める。また第２識別情報群内では、各第２識別情報を比較的短い第３距離を離間させて配置することで、見やすくし、かつ電子部品群との対応の認識性を良好とする。
また上記した本発明に係る遊技機においては、少なくとも一部の前記第２識別情報群は、同一種類の電子部品による電子部品群に対応し、当該第２識別情報群として前記囲い線で囲われた複数の第２識別情報は、同一種類の電子部品についての情報を示していることが望ましい。
電子部品群と第２識別情報群を同一種類の部品に対して採用する。これにより電子部品群と第２識別情報群の対応をより明確にし、各第２識別情報もわかりやすいものとできる。
また第２識別情報群内のそれぞれの第２識別情報の表記も効率化できる。
また遊技機においては、前記電子回路基板は、識別情報を形成する文字の上下方向が、遊技機本体の上下方向とは逆方向とならない状態で、遊技機に取り付けられていることが望ましい。これにより遊技機に装着された状態での識別情報の視認性を高める。
【手続補正書】
【提出日】平成28年8月8日(2016.8.8)
【手続補正１】
【補正対象書類名】明細書
【補正対象項目名】００２４
【補正方法】変更
【補正の内容】
【００２４】
環状のスペーサ３は、上端が拡径されており、この拡径部３ａの下面と繰出コア用ギア１の上面間に圧縮スプリング２が挟持されている。繰出コア用ギア１における回転軸１ｂの側面は一部切欠かれており、この切欠部１ｃに係止される被係止片３ｂがスペーサ３の環状内壁に付設されており、前記被係止片３ｂが前記切欠部１ｃに係止されることにより、繰出コア用ギア１と圧縮スプリング２とスペーサ３が一体的に回転するようになっている。
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
被写体から撮像光学系に入射した光により形成される一対の被写体像の位相差に基づいて前記撮像光学系の焦点状態の検出を行う焦点検出手段と、
前記被写体または前記被写体像の色分布を検出する色分布検出手段と、
前記撮像光学系の色収差に関する情報と前記色分布に関する情報とを用いて、前記焦点検出手段により検出される前記焦点状態の誤検出度を判定する誤検出度判定手段とを有することを特徴とする撮像装置。
【請求項２】
前記誤検出度判定手段は、前記色分布における色の組み合わせに応じて前記誤検出度を判定することを特徴とする請求項１に記載の撮像装置。
【請求項３】
前記誤検出度判定手段は、前記色分布における色の組み合わせが前記一対の被写体像に現れる前記色収差の量をより大きくする組み合わせであるときに、前記誤検出度をより高く判定することを特徴とする請求項２に記載の撮像装置。
【請求項４】
前記誤検出度判定手段は、前記色分布において、複数の色の領域が互いに隣接している場合に、複数の色が混ざり合った領域が存在する場合に比べて前記誤検出度を高く判定することを特徴とする請求項１から３のいずれか一項に記載の撮像装置。
【請求項５】
前記誤検出度判定手段は、前記色分布に関する情報を用いて、前記色分布における色のコントラストの大きさを求め、該色のコントラストの大きさに応じて前記誤検出度を判定することを特徴とする請求項１から４のいずれか一項に記載の撮像装置。
【請求項６】
前記誤検出度判定手段は、前記色収差に関する情報を用いて得られる前記撮像光学系の色収差の量に応じて前記誤検出度を判定することを特徴とする請求項１から５のいずれか一項に記載の撮像装置。
【請求項７】
前記一対の被写体像に関する情報を用いて、前記焦点状態の検出の信頼度を判定する信頼度判定手段と、
前記信頼度が信頼度閾値より高い場合に前記焦点状態の検出結果を用いて前記撮像光学系の焦点調節制御を行う制御手段とを有し、
前記制御手段は、前記誤検出度が誤検出度閾値より高い場合に、該誤検出度が前記誤検出度閾値より低い場合に比べて前記信頼度を低くすることを特徴とする請求項１から６のいずれか一項に記載の撮像装置。
【請求項８】
被写体から撮像光学系に入射した光により形成される一対の被写体像の位相差に基づいて前記撮像光学系の焦点状態の検出を行う撮像装置の焦点検出方法であって、
前記撮像光学系の色収差に関する情報を取得するステップと、
前記被写体または前記被写体像の色分布を検出するステップと、
前記撮像光学系の色収差に関する情報と前記色分布に関する情報とを用いて、前記焦点状態の誤検出度を判定するステップとを有することを特徴とする焦点検出方法。
【請求項９】
被写体から撮像光学系に入射した光により形成される一対の被写体像の位相差に基づいて前記撮像光学系の焦点状態の検出を行う撮像装置のコンピュータに、
前記撮像光学系の色収差に関する情報を取得するステップと、
前記被写体または前記被写体像の色分布を検出するステップと、
前記撮像光学系の色収差に関する情報と前記色分布に関する情報とを用いて、前記焦点状態の誤検出度を判定するステップとを実行させることを特徴とする焦点検出プログラム。
【手続補正２】
【補正対象書類名】明細書
【補正対象項目名】００１３
【補正方法】変更
【補正の内容】
【００１３】
また、本発明の他の一側面としての焦点検出方法は、被写体から撮像光学系に入射した光により形成される一対の被写体像の位相差に基づいて前記撮像光学系の焦点状態の検出を行う撮像装置に適用される。該焦点検出方法は、撮像光学系の色収差に関する情報を取得するステップと、被写体または被写体像の色分布を検出するステップと、撮像光学系の色収差に関する情報と色分布に関する情報とを用いて、焦点状態の誤検出度を判定するステップとを有することを特徴とする。
【手続補正３】
【補正対象書類名】明細書
【補正対象項目名】００１４
【補正方法】変更
【補正の内容】
【００１４】
さらに、本発明の他の一側面としての焦点検出プログラムは、被写体から撮像光学系に入射した光により形成される一対の被写体像の位相差に基づいて撮像光学系の焦点状態の検出を行う撮像装置のコンピュータに、撮像光学系の色収差に関する情報を取得するステップと、被写体または被写体像の色分布を検出するステップと、撮像光学系の色収差に関する情報と前記色分布に関する情報とを用いて、焦点状態の誤検出度を判定するステップとを実行させることを特徴とする。